(57)【要約】【課題】  特に男性用の磁気治療を備えたパンツとして、精力や疲労の回復、血行・コリの改善に効果を発揮し得るパンツの提供を課題とする。また磁石を取り付けていることが外からは判り難く、且つ着用者への磁石の当りが強すぎることのない磁気治療具を備えたパンツの提供を課題とする。【解決手段】  前身頃１０と後身頃のそれぞれの中心線Ｘに沿ってその両側に複数個の永久磁石４０を配置させてある。前身頃１０に配置された永久磁石４０は関元、中極のそれぞれのツボに対応して、それに近い位置に配置させてある。後身頃に配置された永久磁石は次りょうを含むツボ位置に対応させてある。前身頃１０と後身頃のそれぞれの中心線Ｘを含む一定の領域を外生地と内生地の２重の生地で構成し、且つ内生地の肌とは接しない裏面側に永久磁石４０を取り付けてある。【選択図】      図１
0003108154.tif 000002
【実用新案登録請求の範囲】
【請求項１】
前身頃と後身頃のそれぞれの中心線に沿ってその両側に複数個の永久磁石を配置させてあることを特徴とする磁気治療具を備えたパンツ。
【請求項２】
前身頃に配置された永久磁石は関元、中極のそれぞれのツボ位置に対応して、それに近い位置に配置させてあることを特徴とする請求項１に記載の磁気治療具を備えたパンツ。
【請求項３】
後身頃に配置された永久磁石は次りょうを含むツボ位置に対応させてあることを特徴とする請求項１又は２に記載の磁気治療具を備えたパンツ。
【請求項４】
前身頃と後身頃のそれぞれの中心線を含む一定の領域を外生地と内生地の２重の生地で構成し、且つ内生地の肌とは接しない裏面側に永久磁石を取り付けてあることを特徴とする請求項１〜３の何れかに記載の磁気治療具を備えたパンツ。
【請求項５】
内生地の裏面側に取り付けられる永久磁石は、内生地と別に用意した取付布とで構成された保持空間に１個ずつ取り付けてあることを特徴とする請求項４に記載の磁気治療具を備えたパンツ。
【請求項６】
内生地の肌とは接しない裏面に遠赤外線を発生する材料粉末をプリント加工してあることを特徴とする請求項４又は５に記載の磁気治療具を備えたパンツ。
【考案の詳細な説明】
【技術分野】
【０００１】
本考案は磁気治療具を備えたパンツに関し、より詳しくは、永久磁石を用いた磁気治療具を備えたパンツに関する。
【背景技術】
【０００２】
永久磁石を身体の表面に貼り付け、永久磁石の発する磁気により血行等をよくし、治療に供することが従来から行われている。
また最近は永久磁石を下着等の衣類やバンド、サポータ等に取り付けて着用することで、永久磁石の発する磁気により治療を施すことが行われている。
実用新案登録第３０７９６３３号には、磁気治療具付きパンツに関し、複数の永久磁石を身体の各ツボに対応する位置に固定したものが開示されている。
【特許文献１】実用新案登録第３０７９６３３号
【考案の開示】
【考案が解決しようとする課題】
【０００３】
ところが実用新案登録第３０７９６３３号では、１枚物の生地の内側（肌側面）に永久磁石を配置し、この永久磁石の上からあて布を施して固定されるだけであるから、永久磁石の外側を覆うのは前記１枚物の生地だけであり、パンツの外から永久磁石の形が判り易く、磁石付きのパンツであることが判り易い問題があった。又あて布で被覆されているとはいうものの、磁石が１枚物の生地の内面（肌側面）から突出して固定されているので、肌に対する当りが強いという問題もあった。
また永久磁石を人体のツボに対応する位置に固定するといっても、男女を問わない一般的なツボ位置を対象にしており、男性用、女性用という男女別の治療効果があまり発揮できない物であった。
【０００４】
そこで本考案は上記従来の問題を解消し、特に男性用の磁気治療を備えたパンツとして、精力や疲労の回復、血行・コリの改善に効果を発揮し得るものの提供を課題とする。
また磁石を取り付けていることが外からは判り難く、且つ着用者への磁石の当りが強すぎることのない磁気治療具を備えたパンツの提供を課題とする。
【課題を解決するための手段】
【０００５】
上記課題を達成するため、本考案の磁気治療具を備えたパンツは、前身頃と後身頃のそれぞれの中心線に沿ってその両側に複数個の永久磁石を配置させてあることを第１の特徴としている。
また本考案の磁気治療具を備えたパンツは、上記第１の特徴に加えて、前身頃に配置された永久磁石は関元、中極のそれぞれのツボに対応して、それに近い位置に配置させてあることを第２の特徴としている。
また本考案の磁気治療具を備えたパンツは、上記第１又は第２の特徴に加えて、後身頃に配置された永久磁石は次りょうを含むツボ位置に対応させてあることを第３の特徴としている。
また本考案の磁気治療具を備えたパンツは、上記第１〜３の何れかの特徴に加えて、前身頃と後身頃のそれぞれの中心線を含む一定の領域を外生地と内生地の２重の生地で構成し、且つ内生地の肌とは接しない裏面側に永久磁石を取り付けてあることを第４の特徴としている。
また本考案の磁気治療具を備えたパンツは、上記第３の特徴に加えて、内生地の裏面側に取り付けられる永久磁石は、内生地と別に用意した取付布とで構成された保持空間に１個ずつ取り付けてあることを第５の特徴としている。
また本考案の磁気治療具を備えたパンツは、上記第４又は５の特徴に加えて、内生地の肌とは接しない裏面に遠赤外線を発生する材料粉末をプリント加工してあることを第６の特徴としている。
【考案の効果】
【０００６】
請求項１に記載の磁気治療具を備えたパンツによれば、パンツの前身頃においては、その中心線に沿ってその両側に複数個の永久磁石が配置されている。この中心線の両側に配置された永久磁石から発せられる磁気により、泌尿器周辺の血行が良くなる。これにより精力や疲労の回復に良い影響を与えることが可能となる。永久磁石の配置は泌尿器から両側に避けた位置にあるので、硬い磁石が常時接触することによる違和感なども生じない。
またパンツの後身頃においても、その中心線に沿ってその両側に永久磁石を配置することで、背骨に硬い永久磁石が当たることなく、その磁力による血行等の改善に良い影響を与えることができる。
請求項１に記載の磁気治療具を備えたパンツによれば、前身頃と後身頃のそれぞれの中心線に沿ってその両側に複数個の永久磁石を配置させてあるので、泌尿器や背骨に磁石接触による違和感を与えることなく、磁石周辺における血行を良くし、精力や疲労の回復或いはコリの改善に良い影響を与えることが可能となる。
【０００７】
請求項２に記載の磁気治療具を備えたパンツによれば、請求項１に記載の構成による上記効果に加えて、前身頃に配置された永久磁石は関元、中極のそれぞれのツボに対応して、それに近い位置に配置させてあるので、永久磁石が泌尿器に当たるのを避けながら、磁石が発する磁気により関元、中極のツボを刺激して、ツボ刺激による治療効果を上げることができる。
【０００８】
請求項３に記載の磁気治療具を備えたパンツによれば、請求項１又は２に記載の構成による上記効果に加えて、後身頃に配置された永久磁石は次りょうを含むツボ位置に対応させてあるので、磁石が発する磁気により次りょうを含むツボを刺激して、ツボ刺激による治療効果を上げることができる。
【０００９】
請求項４に記載の磁気治療具を備えたパンツによれば、前身頃のうち、その中心線を含む一定の領域は外生地と内生地とからなる２重の生地とされ、且つ永久磁石は内生地の裏面側、即ち肌とは接しない側に取り付けられる。同様に後身頃についても、その中心線を含む一定の領域は外生地と内生地とからなる２重の生地とされ、且つ永久磁石は内生地の裏面側、即ち肌とは接しない側に取り付けられる。これによって肌と永久磁石とは常に内生地が間に介在することにより、直接的には決して接触しないようにすることができると共に、永久磁石が肌を強く圧迫することがないようにすることができる。加えて永久磁石は外生地によって外部から遮蔽されているので、外部からは永久磁石がパンツに取り付けられていることが判らないようにすることができる。
よって請求項４に記載の磁気治療具を備えたパンツによれば、請求項１〜３の何れかに記載の構成による上記効果に加えて、前身頃と後身頃のそれぞれの中心線を含む一定の領域を外生地と内生地の２重の生地で構成し、且つ内生地の肌とは接しない裏面側に永久磁石を取り付けてあるので、永久磁石が取り付けられているのを外部からは判らないようにすることができると共に、永久磁石が肌に直接触れたり肌を強く圧迫したりするようなことを十分に防止しながら磁気治療効果を得ることができる。
【００１０】
請求項５に記載の磁気治療具を備えたパンツによれば、請求項４に記載の構成による上記効果に加えて、永久磁石は、内生地の裏面側において別に用意した取付布とで構成される保持空間に１個ずつ取り付けられることで、内生地の裏面側に１個ずつ確実に取り付けることができる。また永久磁石は外部から外生地と取付布とで遮蔽されることで、外部からはその永久磁石の取り付けが一層、確実に判らないようにすることができる。
【００１１】
請求項６に記載の磁気治療具を備えたパンツによれば、請求項４又は５に記載の構成による上記効果に加えて、２重の生地を構成する部分の内生地には、その内生地の裏面側、即ち肌とは接しない側の面に、遠赤外線を発生する材料粉末をプリント加工してあるので、材料粉末が肌に触ることによる違和感等を生じることなく、遠赤外線による効果を、パンツの前身頃と後身頃のそれそれの中心線を含む一定の領域において、永久磁石による磁気的治療効果に相乗して加えることができる。
【考案を実施するための最良の形態】
【００１２】
以下の図面を参照しながら、本考案の実施形態を更に詳細に説明する。
図１は本考案の実施形態を示す磁気治療具を備えたパンツの正面図、図２は同パンツの背面図、図３は図１のＡ−Ａ断面図である。
【００１３】
図１、図２を参照して、磁気治療具を備えたパンツ１は前身頃１０と後身頃２０とを有する。３０はゴム部である。
前記前身頃１０の中心線Ｘを含む一定の領域を２重生地部１１とする。この２重生地部１１は前身頃の全面積の約１／３を占めて、その中央部に位置している。
同様に後身頃２０においても、その中心線Ｘを含む一定の領域を２重生地部２１としている。２重生地部２１は後身頃の全面積の約１／３を占めて、その中央部に位置している。本実施形態では後身頃２０の２重生地部２１の面積が前身頃１０の２重生地部１１の面積より多少広く構成されている。
前身頃１０の２重生地部１１は、その両側の１重生地部１２、１２と縫製されている。１３はその縫目である。同様に後身頃２０の２重生地部２１はその両側の１重生地部２２、２２と縫製されている。２３はその縫目である。
【００１４】
図３も参照して、前記前身頃１０の２重生地部１１は、外生地１１ａと内生地１１ｂとからなる。また同様に、前記後身頃２０の２重生地部２１も、外生地２１ａと内生地２１ｂとからなる。
前記外生地１１ａ、２１ａは肌と接しない外側の生地である。前記内生地１１ｂ、２１ｂは肌と接する内側の生地である。
前記内生地１１ｂ、２１ｂの裏面側、即ち肌とは接しない側に磁気治療具である永久磁石４０が配置される。この永久磁石４０は、取付布５０を用いて取り付けられている。
【００１５】
前記永久磁石４０は、例えば１５００ガウスのネオジウム合金を用いることができるが、希土類磁石等の強力な永久磁石を用いる。また永久磁石４０は厚みの薄いボタン形状のものとして、嵩が高くならないようにしている。これによって永久磁石が肌に強く当たる等による違和感が生じないようにしている。永久磁石４０は実際には直径約１０ｍｍ、厚みが約１ｍｍの円形をしている。
【００１６】
前身頃１０に取り付けられる永久磁石４０は、該前身頃１０の中心線Ｘに沿ってその両側それぞれ３個ずつ取り付けている。中心線Ｘを挟む左右（両側）の永久磁石４０の離間距離は、泌尿器（男性では男性器）がそれら永久磁石４０の間に位置できるような距離とする。が、関元のツボ位置、中極のツボ位置から左右方向にあまり離れない位置とするのがそれらのツボの刺激効果を増す上で好ましい。
前身頃１０における永久磁石４０は中心線Ｘの両側で、１列ずつで計２列とし、また各列で３個ずつとしている。列としては２列ぐらいが好ましい。また各列での個数は３個ぐらいを５０〜６０ｍｍの間隔で設けるのが良い。しかし各列における永久磁石４０は、もう少し間隔を小さくして個数を増やすようにしても良い。勿論、無闇に列や個数を多数に増やしても効果が比例して増すわけではない。
【００１７】
また前記後身頃２０に取り付けられる永久磁石４０は、該後身頃２０の中心線Ｘに沿ってその両側にそれぞれ２個ずつ取り付けている。中心線Ｘを挟む左右（両側）の永久磁石４０の離間距離は、背骨を外した状態とできる距離となるが、次りょうのツボ位置を含むその上下のツボ位置から左右方向にあまり離れない位置とするのが、磁力によるツボの刺激上好ましい。
【００１８】
前記永久磁石４０の各内生地１１ｂ、２１ｂへの取り付けは、本実施形態では取付布５０を用いて行っている。
即ち、細長い帯状の取付布５０をその周辺部と各永久磁石４０の周囲において内生地１１ｂ、２１ｂに縫い合わせ、永久磁石４０の１個１個を取付布５０と内生地１１ｂ、２１ｂとで構成される保持空間Ｓに収容して取り付ける。５１は縫目である。
【００１９】
前記永久磁石４０の取り付けは、必ずしも永久磁石４０の周囲を縫製することによって行う必要はない。例えば取付布５０を永久磁石４０に上から熱溶着加工によりを内生地１１ｂ、２１ｂの裏面側と接着することで、取付布５０と内生地１１ｂ、２１ｂとの間に構成される保持空間Ｓに永久磁石４０を１個ずつ収容して取り付けるようにすることもできる。
【００２０】
前記前身頃１０の２重生地部１１の内生地１１ｂ及び後身頃２０の２重生地部２１の内生地２１ｂには、その裏面、即ち肌とは接しない側の面に、遠赤外線を発生する材料粉末をプリント加工して施している。これによって泌尿器の周囲領域及び腰から尻にかけての骨盤の領域が遠赤外線による照射を受けて、前記永久磁石４０による効果との相乗効果が期待できる。
【図面の簡単な説明】
【００２１】
【図１】本考案の実施形態を示す磁気治療具を備えたパンツの正面図である。
【図２】同パンツの背面図である。
【図３】図１のＡ−Ａ断面図である。
【符号の説明】
【００２２】
１      磁気治療具を備えたパンツ
１０    前身頃
１１    ２重生地部
１１ａ  外生地
１１ｂ  内生地
１２    １重生地部
１３    縫目
２０    後身頃
２１    ２重生地部
２１ａ  外生地
２１ｂ  内生地
２２    １重生地部
２３    縫目
３０    ゴム部
４０    永久磁石
５０    取付布
Ｘ      中心線
Ｓ      保持空間
【図１】
0003108154.tif 000003
【図２】
0003108154.tif 000004
【図３】
0003108154.tif 000005